(57)【要約】【課題】被洗浄体の洗浄が行いやすく、また洗浄体が浴槽や洗面台等の被洗浄体のチェーン等に絡み付きにくい電動式洗浄機を提供すること【解決手段】スイッチ２４を閉じることによって、ハウジング２内に設けられた電動機９に電源部たる蓄電池１９から電力を供給して一方向に回転させ、この回転を減速機構１０の変換機構１３によって反復回転に変換し、出力軸１１に着脱自在に取り付けられた洗浄体４を反復回転させるものであり、把持部３を把持して洗浄体４を被洗浄体に当接させることで、電動式浴槽洗浄機１が一方向に引っ張られ続けることなく被洗浄体が容易に洗浄されるばかりでなく、被洗浄体が浴槽や洗面台等である場合、浴槽等の栓を取り付けるチェーン等に前記洗浄体４が触れたとしても、この洗浄体４にチェーン等が巻き込まれて絡まることによる事故の虞を減ずることができる。【選択図】  図２
2004223428.tif 000002
【特許請求の範囲】
【請求項１】
ハウジングと、このハウジング内に設けられた電動機及び減速機構と、前記ハウジング外に突出した前記減速機構の出力軸に対して着脱自在に取り付けられる洗浄体と、前記電動機の動力源となる電源部と、前記電源部から電動機へ電力を供給する回路を開閉するスイッチと、把持部とを有する電動式洗浄機において、前記減速機構内に、前記電動機の一方向の回転を反復回転に変換する変換機構を設けたことを特徴とする電動式洗浄機。
【請求項２】
ハウジングと、このハウジング内に設けられた電動機及び減速機構と、前記ハウジング外に突出した前記減速機構の出力軸に対して着脱自在に取り付けられる洗浄体と、前記電動機の動力源となる電源部と、前記電源部から電動機へ電力を供給する回路を開閉するスイッチと、把持部とを有する電動式洗浄機において、前記電動機を順逆方向に反復回転するように制御する制御回路を設けたことを特徴とする電動式洗浄機。
【発明の詳細な説明】
【０００１】
【発明が属する技術分野】
本発明は、浴室や洗面所等、チェーンが設けられている水回りで用いられる手持ち式の電動式洗浄機に関するものである。
【０００２】
【発明が解決しようとする課題】
従来この種の電動式洗浄機としては、例えば以下のものが知られている。
【０００３】
【特許文献１】
特開２００２−２５３４７３号公報
【０００４】
これは、モータケース（ハウジング）内にモータ（電動機）及び減速機構を設け、この減速機構の駆動軸（出力軸）に対して洗浄ブラシ（洗浄体）を着脱自在に設けると共に、前記モータケースに柄パイプを介して取っ手ケース（把持部）を取り付け、この取っ手ケース内に蓄電池（電源部）を設け、更に取っ手ケース上にスイッチを設けたものである。そして、前記モータは一方向に回転すると共に、減速機構の駆動軸も一方向に回転する。即ち、洗浄ブラシも一方向にのみ回転する。
【０００５】
しかしながら、このような電動式洗浄機を用いた場合、一方向に回転する洗浄ブラシが被洗浄体に接することによって、電動式洗浄機全体が一方向に引っ張られてしまい、扱いにくくなってしまう虞があった。また、このような電動式洗浄機を浴槽や洗面台等に対して用いた場合、一方向に回転する洗浄ブラシが排水孔を塞ぐ栓に接続されているチェーン等に接すると、このチェーン等が洗浄ブラシに巻き込まれて絡み付くことでチェーン等が切断されてしまったり、洗浄ブラシの回転がロックされて故障してしまったりする虞があった。
【０００６】
本発明は以上の問題点を解決し、浴槽や洗面台の洗浄が行いやすく、また洗浄体が浴槽や洗面台のチェーン等に絡み付きにくい電動式洗浄機を提供することを目的とする。
【０００７】
【課題を解決するための手段】
本発明の請求項１の電動式洗浄機は、ハウジングと、このハウジング内に設けられた電動機及び減速機構と、前記ハウジング外に突出した前記減速機構の出力軸に対して着脱自在に取り付けられる洗浄体と、前記電動機の動力源となる電源部と、前記電源部から電動機へ電力を供給する回路を開閉するスイッチと、把持部とを有する電動式洗浄機において、前記減速機構内に、前記電動機の一方向の回転を反復回転に変換する変換機構を設けたものである。
【０００８】
本発明は以上のように構成することにより、電源部からの電力が電動機に供給されることで、この電動機が一方向に回転し、この回転が減速機構に設けられた変換機構によって反復回転に変換され、出力軸に取り付けられた洗浄体を反復回転させる。
【０００９】
また、本発明の請求項２の電動式洗浄機は、ハウジングと、このハウジング内に設けられた電動機及び減速機構と、前記ハウジング外に突出した前記減速機構の出力軸に対して着脱自在に取り付けられる洗浄体と、前記電動機の動力源となる電源部と、前記電源部から電動機へ電力を供給する回路を開閉するスイッチと、把持部とを有する電動式洗浄機において、前記電動機を順逆方向に反復回転するように制御する制御回路を設けたものである。
【００１０】
本発明は以上のように構成することにより、制御回路によって電源部からの電力が順逆方向に電動機に供給されることで、この電動機が反復回転し、この反復回転が減速機構を介して出力軸に取り付けられた洗浄体を反復回転させる。
【００１１】
【発明の実施形態】
以下、本発明の第一の実施形態について、図１乃至図３に基づいて説明する。１は電動式洗浄機である。この電動式洗浄機１は、それぞれ着脱可能なハウジング２と、把持部３と、洗浄体４とから構成されている。なお、洗浄体４としては、ブラシやスポンジ等が用いられる。
【００１２】
前記ハウジング２は、駆動部ハウジング５と、電源部ハウジング６と、操作部ハウジング７とから構成されている。更に、前記駆動部ハウジング５は、第一駆動部ハウジング５ａと第二駆動部ハウジング５ｂとで構成されており、これら第一駆動部ハウジング５ａの基端と第二駆動部ハウジング５ｂの先端は、Ｏリング８を介して水密に結合されている。そして、前記駆動部ハウジング５内には、電動機９と、この電動機９の駆動軸に接続された減速機構１０が設けられており、この減速機構１０の出力軸１１が前記第一駆動部ハウジング５ａの先端略中央に設けられた貫通孔１２から外部に突出している。なお、前記減速機構１０には、前記電動機９の一方向の回転を反復回転に変換するための変換機構１３が設けられている。そして、この変換機構１３は、前記減速機構１０の途中に設けられた偏心カム１４と、この偏心カム１４を受けるカム受け溝１５を有する往復歯車１６とで構成されている。なお、前記出力軸１１と貫通孔１２の間には、防水シール１７が設けられている。更に、前記出力軸１１には、前記洗浄体４が着脱自在に取り付けられている。
【００１３】
また、前記第二駆動部ハウジング５ｂの基端と電源部ハウジング６の先端は、Ｏリング１８を介して水密に結合されている。なお、前記第二駆動部ハウジング５ｂの基端と電源部ハウジング６の先端はそれぞれ開口しており、これら第二駆動部ハウジング５ｂと電源部ハウジング６を結合したときに、これらの内部が連通するように形成されている。そして、前記電源部ハウジング６内には、電源部たる蓄電池１９が設けられている。
【００１４】
更に、前記電源部ハウジング６の基端と操作部ハウジング７の先端は、接続体２０及びＯリング２１，２２を介して水密に結合されている。なお、前記電源部ハウジング６の基端と操作部ハウジング７の先端はそれぞれ開口していると共に、前記接続体２０は筒状に形成されている。このため、これら電源部ハウジング６と操作部ハウジング７を前記接続体２０によって結合したときに、これらの内部が連通するように形成されている。そして、前記操作部ハウジング７内には、制御回路２３が設けられていると共に、前記操作部ハウジング７上にスイッチ２４と、充電端子２５と、充電表示部２６とが設けられている。なお、前記充電端子２５はゴム製の端子カバー２７によって水密に覆われている。更に、前記操作部ハウジング７の基端は水密に封じられていると共に、この操作部ハウジング７の基端に取付部２８が設けられている。そして、この取付部２８に対して前記把持部３が着脱自在に取り付けられている。
【００１５】
次に、本実施形態の作用について説明する。まず使用者は、電動式洗浄機１を購入後、図示しない販売用の箱から分割された状態のハウジング２と把持部３と洗浄体４を取り出し、ハウジング２に設けられた端子カバー２７を取り外して図示しない電源コードを充電端子２５に接続することで、ハウジング２内の蓄電池１９を充電する。なお、このとき充電表示部２６によって充電の状態が表示される。そして、蓄電池１９が充電されたら、電源コードを充電端子２５から取り外し、この充電端子２５に端子カバー２７を取り付けると共に、前記把持部３をハウジング２の取付部２８に取り付け、更に洗浄体４を出力軸１１に取り付ける。そして、前記把持部３を把持した状態で前記ハウジング２上の前記スイッチ２４を操作することで、前記蓄電池１９から電力が供給されて前記電動機９が一方向に回転する。更に、前記電動機９の駆動軸の一方向の回転は、前記減速機構１０によって減速されると共に、この減速機構１０に設けられた変換機構１３によって反復回転に変換される。即ち、減速機構１０によって減速された一方向の回転は、変換機構１３の偏心カム１４によって一方向の偏心回転に変換されると共に、この偏心カム１４が前記カム受け溝１５内で摺動することで、前記往復歯車１６がその軸１６ａを中心に揺動し、この往復歯車１６と噛合する歯車、ひいては前記出力軸１１が反復回転することになる。そして、この出力軸１１の反復回転によって、この出力軸１１に取り付けられた洗浄体４が反復回転することになり、この反復回転する洗浄体４を図示しない被洗浄体に当接させることで、被洗浄体が洗浄される。
【００１６】
なお、回転する洗浄体４を被洗浄体に当接させると、前記洗浄体４の回転方向の上手側に前記電動式洗浄機１が引っ張られてしまうことになるが、前述したように、前記洗浄体４が反復回転しているため、この洗浄体４を被洗浄体に当接させたとしても、前記電動式洗浄機１が一方向に引っ張られ続けることがなく、従って被洗浄体の洗浄が行いやすい。また、被洗浄体が浴槽や洗面台等（以下、浴槽等と記載する）である場合、通常、浴槽等の底には排水孔が設けられており、そして、前記浴槽等の内壁等に基端が取り付けられたチェーン等の先端に、前記排水孔を塞ぐための栓が取り付けられている。即ち、浴槽等の洗浄時に栓を浴槽等の外に出し忘れると、この栓が取り付けられたチェーン等が浴槽等の内壁に沿って垂れ下がった状態となる。そして、この状態で浴槽等を前記電動式洗浄機１で洗浄すると、この電動式洗浄機１の洗浄体４がチェーン等に触れる虞がある。しかしながら、前記洗浄体４が一方向に回転する場合であれば、この洗浄体４がチェーン等を巻き込んで絡めてしまう虞があるものの、前述したように、前記洗浄体４が反復回転しているため、この洗浄体４にチェーン等が絡む虞を減ずることができる。従って、洗浄体４にチェーン等が絡まることでチェーン等が切断されてしまったり、この切断されたチェーン等によって怪我をしてしまったり、前記洗浄体４の回転がロックされることで電動式洗浄機１が故障してしまったりする等の虞を減ずることができる。
【００１７】
以上のように本発明は、スイッチ２４を閉じることによって、ハウジング２内に設けられた電動機９に電源部たる蓄電池１９から電力を供給して一方向に回転させ、この一方向の回転を減速機構１０によって減速すると共に、この減速機構１０内に設けられた変換機構１３によって反復回転に変換し、出力軸１１、ひいてはこの出力軸１１に着脱自在に取り付けられた洗浄体４を反復回転させるものであり、把持部３を把持して洗浄体４を被洗浄体に当接させることで、前記電動式洗浄機１が一方向に引っ張られ続けることなく被洗浄体が容易に洗浄されるばかりでなく、被洗浄体が浴槽や洗面台等である場合、前記洗浄体４が反復回転することで、浴槽等のチェーン等に前記洗浄体４が触れたとしても、この洗浄体４にチェーン等が絡まることによる事故の虞を減ずることができる。
【００１８】
次に、本発明の第二の実施形態について、図４乃至図６に基づいて説明する。なお、上記実施形態と共通する部分については共通の符号を付し、その説明を省略する。前記ハウジング２を構成する駆動部ハウジング５内には、電動機９と、この電動機９の駆動軸に接続された減速機構３０が設けられており、この減速機構３０の出力軸３１が前記駆動部ハウジング５を構成する第一駆動部ハウジング５ａの先端略中央に設けられた貫通孔１２から外部に突出している。なお、前記減速機構３０は、前記電動機９の一方向の回転を一方向の回転のまま前記出力軸３１に伝えるように構成されている。なお、前記出力軸３１と貫通孔１２の間には、防水シール１７が設けられている。更に、前記出力軸３１には、前記洗浄体４が着脱自在に取り付けられている。また、前記ハウジング２を構成する操作部ハウジング７内には、制御回路３２が設けられていると共に、前記操作部ハウジング７上にスイッチ２４と、充電端子２５と、充電表示部２６とが設けられている。
【００１９】
次に、本実施形態の作用について説明する。まず使用者は、電動式洗浄機１を購入後、図示しない販売用の箱から分割された状態のハウジング２と把持部３と洗浄体４を取り出し、ハウジング２に設けられた端子カバー２７を取り外して図示しない電源コードを充電端子２５に接続することで、ハウジング２内の蓄電池１９を充電する。そして、蓄電池１９が充電されたら、電源コードを充電端子２５から取り外し、この充電端子２５に端子カバー２７を取り付けると共に、前記把持部３をハウジング２の取付部２８に取り付け、更に洗浄体４を出力軸３１に取り付ける。そして、前記把持部３を把持した状態で前記ハウジング２上の前記スイッチ２４を操作することで、前記蓄電池１９から前記電動機９に電力が供給される。このとき、前記電動機９は、制御回路３２によって反復回転するように制御される。更に、前記電動機９の駆動軸の反復回転は、前記減速機構３０によって減速された反復回転となる。即ち、減速機構３０自体は電動機９の回転を単に減速するだけであるが、電動機９自体が制御回路３２の制御によって反復回転するので、減速機構３０の出力軸３１も反復回転することになる。そして、この出力軸３１の反復回転によって、この出力軸３１に取り付けられた洗浄体４が反復回転することになり、この反復回転する洗浄体４を図示しない被洗浄体に当接させることで、被洗浄体が洗浄される。
【００２０】
なお、回転する洗浄体４を被洗浄体に当接させると、前記洗浄体４の回転方向の上手側に前記電動式洗浄機１が引っ張られてしまうことになるが、前述したように、前記洗浄体４が反復回転しているため、この洗浄体４を被洗浄体に当接させたとしても、前記電動式洗浄機１が一方向に引っ張られ続けることがなく、従って被洗浄体の洗浄が行いやすい。また、被洗浄体が浴槽等である場合、通常、浴槽等の底には排水孔が設けられており、そして、前記浴槽等の内壁等に基端が取り付けられたチェーン等の先端に、前記排水孔を塞ぐための栓が取り付けられている。即ち、浴槽等の洗浄時に栓を浴槽等の外に出し忘れると、この栓が取り付けられたチェーン等が浴槽等の内壁に沿って垂れ下がった状態となる。そして、この状態で浴槽等を前記電動式洗浄機１で洗浄すると、この電動式洗浄機１の洗浄体４がチェーン等に触れる虞がある。しかしながら、前記洗浄体４が一方向に回転する場合であれば、この洗浄体４がチェーン等を巻き込んで絡めてしまう虞があるものの、前述したように、前記洗浄体４が反復回転しているため、この洗浄体４にチェーン等が絡む虞を減ずることができる。従って、洗浄体４にチェーン等が絡まることでチェーン等が切断されてしまったり、この切断されたチェーン等によって怪我をしてしまったり、前記洗浄体４の回転がロックされることで電動式洗浄機１が故障してしまったりする等の虞を減ずることができる。
【００２１】
以上のように本発明は、スイッチ２４を閉じることによって、ハウジング２内に設けられた電動機９に制御回路３２を介して電源部たる蓄電池１９から電力を供給して反復回転させ、この反復回転を減速機構３０によって減速すると共に、出力軸３１、ひいてはこの出力軸３１に着脱自在に取り付けられた洗浄体４を反復回転させるものであり、把持部３を把持して洗浄体４を被洗浄体に当接させることで、前記電動式洗浄機１が一方向に引っ張られ続けることなく被洗浄体が容易に洗浄されるばかりでなく、被洗浄体が浴槽や洗面台等である場合、前記洗浄体４が反復回転することで、浴槽等のチェーン等に前記洗浄体４が触れたとしても、この洗浄体４にチェーン等が絡まることによる事故の虞を減ずることができる。
【００２２】
なお、本発明は以上の実施形態に限定されるものではなく、発明の要旨の範囲内で種々の変形が可能である。例えば、前記第一の実施形態において、一方向の回転運動を反復回転に変換する機構として、本実施形態に記載された以外の機械的な機構を用いても良い。
【００２３】
【発明の効果】
本発明の請求項１の電動式洗浄機は、ハウジングと、このハウジング内に設けられた電動機及び減速機構と、前記ハウジング外に突出した前記減速機構の出力軸に対して着脱自在に取り付けられる洗浄体と、前記電動機の動力源となる電源部と、前記電源部から電動機へ電力を供給する回路を開閉するスイッチと、把持部とを有する電動式洗浄機において、前記減速機構内に、前記電動機の一方向の回転を反復回転に変換する変換歯車を設けたものであり、電源部からの電力が電動機に供給されることで、この電動機が一方向に回転し、この回転が減速機構の変換歯車によって反復回転に変換され、出力軸に取り付けられた洗浄体を反復回転させるので、洗浄体で被洗浄体を洗浄しているときに電動式洗浄機が一方向に引っ張られることがなく扱いやすくできると共に、被洗浄体が浴槽や洗面台等である場合、洗浄体が浴槽等の栓に取り付けられたチェーン等に触れたとしても、このチェーン等が洗浄体に絡み付かないようにすることができる。
【００２４】
また、本発明の請求項２の電動式洗浄機は、ハウジングと、このハウジング内に設けられた電動機及び減速機構と、前記ハウジング外に突出した前記減速機構の出力軸に対して着脱自在に取り付けられる洗浄体と、前記電動機の動力源となる電源部と、前記電源部から電動機へ電力を供給する回路を開閉するスイッチと、把持部とを有する電動式洗浄機において、前記電動機を順逆方向に反復回転するように制御する制御回路を設けたものであり、制御回路によって電源部からの電力が順逆方向に電動機に供給されることで、この電動機が反復回転し、この反復回転が減速機構を介して出力軸に取り付けられた洗浄体を反復回転させるので、洗浄体で被洗浄体を洗浄しているときに電動式洗浄機が一方向に引っ張られることがなく扱いやすくできると共に、被洗浄体が浴槽や洗面台等である場合、洗浄体が浴槽等の栓に取り付けられたチェーン等に触れたとしても、このチェーン等が洗浄体に絡み付かないようにすることができる。
【図面の簡単な説明】
【図１】本発明の一実施形態を示す電動式洗浄機の正面図である。
【図２】同上、Ａ−Ａ’断面図である。
【図３】同上、Ｂ−Ｂ’拡大断面図である。
【図４】本発明の他の実施形態を示す電動式洗浄機の正面図である。
【図５】同上、Ｃ−Ｃ’断面図である。
【図６】同上、制御回路の出力波形の説明図である。
【符号の説明】
１  電動式洗浄機
２  ハウジング
３  把持部
４  洗浄体
９  電動機
１０，３０  減速機構
１１，３１  出力軸
１９  蓄電池（電源部）
２４  スイッチ
３２  制御回路
【図１】
2004223428.tif 000003
【図２】
2004223428.tif 000004
【図３】
2004223428.tif 000005
【図４】
2004223428.tif 000006
【図５】
2004223428.tif 000007
【図６】
2004223428.tif 000008